(57)【要約】      （修正有）【課題】身の回りにあるクッションなどの日常性に富んだものを防災用具として、身の安全確保を容易にした防災クッションを提供する。【解決手段】ヘルメットをクッションで挟み込んだ防災クッションであって、クッションは上下の二分割されており、内部にはヘルメット構造物をリング及びシートで固定してあり、上下のクッション１１、１２をファスナーでヘルメットを包含するように接合し、更にタイル状物からなる防災カバー６を上下どちらかのクッションに接合してあり、下部のクッションにはヘルメットに頭部を挿入するための開口部を有していて、取っ手を強く引くことで防災カバーが強固になりで頭部周辺におよぶ落下物からの衝撃緩和が出来ることを特徴とする防災クッションとする。【選択図】図１
0003179819.tif 000002
【実用新案登録請求の範囲】
【請求項１】
ヘルメットをクッションで挟み込んだ防災クッションであって、クッションは上下の二分割されており、内部にはヘルメット構造物をリング及びシートで固定してあり、上下のクッションをファスナーでヘルメットを包含するように接合し、更にタイル状物からなる防災カバーを上下どちらかのクッションに接合してあり、下部のクッションにはヘルメットに頭部を挿入するための開口部を有していて、取っ手を強く引くことで防災カバーが強固になりで頭部周辺におよぶ落下物からの衝撃緩和が出来ることを特徴とする防災クッション。
【請求項２】
クッション内に緩衝材のほかヘルメット形状物、リング、シートを結束し固定して包含させた防災クッションであり、タイル状物からなる防災カバーをクッション側部に接合し、またクッションの裏面部に頭部を挿入するための開口部を有していて、取っ手を強くことで防災カバーが強固になり頭部周辺におよぶ落下物からの衝撃緩和が出来ることを特徴とする防災クッション。
【考案の詳細な説明】
【技術分野】
【０００１】
防災用具は常に時宜に応じた使用が出来る必要があり、いざという時に身の回りにあることでより一層の緊急性に対応が出来る。
【背景技術】
【０００２】
身の回りにありクッションなどの日常性に富んだものが防災用具であることにより身の安全確保が容易になる。
【先行技術文献】
【特許文献】
【０００３】
防災用具は様々な構造及び使用方法などの大差があるものの、先行技術は既に存在する。
【特許文献１】登録実用新案第３１２３６１４号
【非特許文献１】北後明彦、原田曜輔、関沢愛、掛川秀史「商業施設における地震時の避難シミュレーションに関する研究」
【考案の概要】
【考案が解決しようとする課題】
【０００４】
不意な災害時の落下物から身を守る防災用具は、タイミングよく身近にあるとは限らないという問題がある。また一見安全とも見える防災頭巾等は防ぎきれる範囲は限定的であり、実質的な防災用具になり得ないという問題もある。
【課題を解決するための手段】
【０００５】
ABS樹脂やCFRP等の軽量で尚且つ硬質な素材を使用した外形寸法(奥行×高さ×幅)270〜280mm×70〜80mm×220〜240mm相当のヘルメット形状の構造物を挟み込んだ外形寸法(奥行×高さ×幅)550〜600mm×150〜170mm×550〜600mm相当の防災クッションであって、天然綿及びポリエステル繊維等の緩衝材入りのクッション上[外形寸法(奥行×高さ×幅)550〜600mm×100〜130mm×550〜600mm相当]とクッション下[外形寸法(奥行×高さ×幅)550〜600mm×40〜50mm×550〜600mm相当]の二つのクッションとに二分割されていている。内部にはヘルメット形状構造物の他、外形寸法(奥行×高さ×幅)300〜310mm×50〜70mm×230〜270mmの発砲スチロール素材のリング、ズレ予防用の外形寸法(縦×横×高さ)400×400×2mmの軟性尚且つ摩擦性を有するポリエチレン等素材の網目状シートが共にクッション本体と金属及びナイロン、ポリエチレン繊維の糸やラインで結束固定してある。
【０００６】
また上下のクッションはファスナーでヘルメット構造物等内容物を包含するように接合して一体になるクッションである。また頭部以外の周辺部位への落下物を防御しうるカバーは、ABS樹脂やCFRPなど軽量尚且つ硬質な素材等で外形寸法60×30×3mmのタイル状物をワイヤーでジョイントしたカバーが上下いずれかのクッション側面に接合してあり、クッション使用と防災用品としての使用の用途の別で使い分ける。下部のクッションはヘルメット形状構造物に頭部を挿入するため中央部に開口部を有しており、リングドーナッツ形状である。尚カバーは左右に取っ手が付帯しており、その取っ手を強く引くことによりタイル状物のワイヤー結束が収縮することで締め付けられ強固になり、頭頂部のクッションが安定させるとともに、落下物からの衝撃を低減するこが出来る。またクッション内に緩衝材のほかヘルメット構造物、リング、固定部品を結束固定して中心に据え、その周辺を緩衝材という配置で包含したクッション形成も可能である。この場合も取っ手の装備及び操作は同様である。
【考案の効果】
【０００７】
身の回りで日常的に使用するクッションが、突発的におこる災害時でも直ぐに頭部及びその周辺部位への落下物をも防御するなど安全確保が出来るうえ、老若男女誰でも簡単に使用出来る。
【実施例】
【０００８】
以下に添付図図１、図２、図３、図４、図５、図６、図７、図８、図９、図１０添付表表１、表２、表３に従い実施例を説明する。
【０００９】
本考案の実施の形態について用途の別により説明する。
１) クッションとしての使用の際は、利用者はクッション面４を腰や背中等の部位に直接あてがうなどして使用する。
２）防災用具として使用する際は、利用者はクッション面４を防災強化カバー６で覆い、頭部ポケット２からメット部１に頭を挿入した状態で左右の取っ手７を両手で引き防災強化カバー６を強固にしたうえで着用する。
【００１０】
図１は、本考案の概観図である。通常、クッションとして使用する際は本装置のA側面にあたるクッション面４を表面になるように配置し使用する。尚クッション面４はクッション(表)１１の一部分であるが、説明の都合上敢えて該当部分のみをクッション面４と呼称する。図２は図１でクッション(裏)１２に付帯する防災強化カバー６を側面に広げた状態を示す図である。防災用具として使用の際はこの防災強化カバー６を図中の矢印方向に回してクッション面４を覆い、頭部ポケット２に頭部を挿入したうえで、取っ手７を掴んで本体を安定させる。防災強化カバー６は、ネット部品９組み合わせジョイントしたものである。ネット部品９は極めて軽量且つ硬質な素材を用いている。したがってこのネット部品９のジョイントした防災強化カバー６がクッション面４を覆うことにより、落下物を防御し、その際の衝撃を緩和出来るのである。尚、頭部ポケット２もクッション(裏)１２の一部ではあるものの説明の都合上から当該部分を頭部ポケット２と呼称する。図３は図２を上からみた図である。また各々の断面を見る際の基準を示す線がB-B、C-Cである。図４は図１のAから見た図であり、クッション面４である。内部には緩衝材５が充填されている。図５は図３のC-C面の断面図である。
【００１１】
クッション(表)１１の内にはメット部１、またそれを固定する固定部品８及びメット部１の凸部分の段差を補うためのリング３、そしてその周辺には緩衝材５が充填してある。以下これらの部品について補足説明する。メット部１はABS樹脂等の軽く尚且つ硬質な素材で出来たヘルメット形状の構造物である。この部分に利用者が頭部を挿入することで防災用具となりえるのである。またクッションとしての使用の際に利用者がメット部１の凸による違和感を覚えないよう、発砲スチロール素材等のリング３を配置した。またメット部１とリング３がクッション内で移動やズレを防ぐためにシート形状にした固定部品８がある。リングと固定部品８は中央部分が空洞になっておりメット部１の凸部分にかぶせるよう配置し、ジョイントが外れないようにする。尚これらメット部１、リング３、固定部品８は互いに丈夫な糸及びラインでジョントされ、尚且つクッション(表)１１にも糸及びラインでジョントされている。これにより各部品が内部でのズレを生じることを防ぎクッションとして使用が可能になるのである。図６は図３のB-B断面図である。上記部品の配置関係は同図の通り。図７は図２のD方向から見た側面図である。クッション(表)１１とクッション(裏)１２がファスナー１０で連結されている。
【００１２】
図８は防災強化カバー６の構成部品であるネット部品９を上から見た拡大図である。このネット部品９をワイヤー等でジョイントして防災強化カバー６を形成する。尚四隅の穴１３はワイヤー等でジョイントする際に使用する。図９は図８の側面図である。ネット部品９の左先端の溝に同右先端突起が挿入し、ジョイントが外れにくい構造である。またワイヤーによるジョイントは取っ手部分のワイヤーとも連結しているため、強く引き寄せることによりジョイントが強固になり防災強化カバーは強固になることで落下物からの衝撃を一層回避することが出来る。尚形状は図の通り中心にかけ肉厚になるような半楕円形の構造で、衝撃への耐性を考慮した。図１０はネット部品９の一部分のジョイントの例として示している。本来の防災強化カバー６の大きさはクッション面４を覆うことが出来る面積を要する。これにより落下物の頭部及びその周辺身体へ安全性を向上することが出来るのである。  
【００１３】
北後らは震災時に建物から避難する際、避難者が什器等の散乱や何らかの被害の有無により対策避難行動をシミュレーションで解析した研究のなかで、什器散乱及び内部被害が経路遮断や歩行速度低下につながることを明らかにしている。またその際の歩行速度にかかるロスタイムが1.84(≒1.8)倍生じることも示している。結果は次の通り(表１)。この結果を後述する歩行実験の数値に反映させ検証した。
【００１４】
また本考案装置の優位性を確認するため下記実験を行った。
実施した実験内容及び要領は次の通りである。本考案装置の装着する場合と室内に保管されているヘルメットを取得し装着する場合に要する時間を測定、比較する。その際の震災想定時の数値は、移動のロスタイムを勘案し考慮する。実験に使用した部屋の大きさは10畳とし、被験者が片隅のスタート地点から対角線上のヘルメット保管場所と仮定する反対側片隅のゴール地点を歩行移動してそれを装着し終わるまでにかかる時間を測定した。震災時の予想数値は、測定結果にロスタイム分の1.8を乗じて算出した。尚、実験データの精度を上げるため、実験は複数回実施し平均値で検証した。結果は表２の通りである。一方、本考案装置の装着実験の結果は表３の通り。平均9.287秒である。
結果をまとめると、本考案装置装は震災時の保管ヘルメットを装着し終わるまでの時間を約半分以下に短縮して安全確保体勢に移行することが出来る。このことから本装置装は優位性を有すると判断出来る。加えて本考案装置に具備される防災強化カバーで防御性が向上して頭部以外周辺部分の安全性を向上させることが可能である。
【００１５】
【表１】
0003179819.tif 000003
【表２】
0003179819.tif 000004
【表３】
0003179819.tif 000005
【図面の簡単な説明】
【００１６】
【図１】本考案の概観図である。
【図２】図１の防災強化カバー６を側面に広げた際の図
【図３】本考案装置の上面図。
【図４】図１をAから見た図。
【図５】図２、B-Bの断面図。
【図６】図２、C-Cの断面図。
【図７】クッション(表)１１、クッション(裏)１２のDから見た図。
【図８】ネット部品９の拡大上面図。
【図９】図８の断面図。
【図１０】図９のジョイントを示す図(一部分)
【符号の説明】
【００１７】
１  メット部
２  頭部ポケット
３  リング
４  クッション面
５  緩衝材
６  防災強化カバー
７  取っ手
８  固定部品
９  ネット部品
１０  ファスナー
１１  クッション(表)
１２  クッション(裏)
１３  穴
【図１】
0003179819.tif 000006
【図２】
0003179819.tif 000007
【図３】
0003179819.tif 000008
【図４】
0003179819.tif 000009
【図５】
0003179819.tif 000010
【図６】
0003179819.tif 000011
【図７】
0003179819.tif 000012
【図８】
0003179819.tif 000013
【図９】
0003179819.tif 000014
【図１０】
0003179819.tif 000015
【手続補正書】
【提出日】平成24年9月3日(2012.9.3)
【手続補正１】
【補正対象書類名】実用新案登録請求の範囲
【補正対象項目名】全文
【補正方法】変更
【補正の内容】
【実用新案登録請求の範囲】
【請求項１】
ヘルメットをクッションで挟み込んだ防災クッションであって、クッションは上下の二分割されており、内部にはヘルメット構造物をリング及びシートで固定してあり、上下のクッションをファスナーでヘルメットを包含するように接合し、更にネット部品からなる防災強化カバーを上下どちらかのクッションに接合してあり、下部のクッションにはヘルメットに頭部を挿入するための開口部を有していて、取っ手を強く引くことで防災カバーの構成部品である複数のネット部品に設けられた穴に取っ手と連結するワイヤーを通して、隣接するネット部品にも連結するという構成により、ネット部品各々の穴周辺部がワイヤーで締め付けられることで防災強化カバーが強固になり、頭部周辺におよぶ落下物からの衝撃緩和が出来ることを特徴とする防災クッション。
【請求項２】
クッション内に緩衝材のほかヘルメット構造物、リング、シートを結束し固定して包含させた防災クッションであり、ネット部品からなる防災強化カバーをクッション側部に接合し、またクッションの裏面部に頭部を挿入するための開口部を有していて、取っ手を強く引くことで防災カバーの構成部品である複数のネット部品に設けられた穴に取っ手と連結するワイヤーを通して、隣接するネット部品にも連結するという構成により、ネット部品各々の穴周辺部がワイヤーで締め付けられることで防災強化カバーが強固になり、頭部周辺におよぶ落下物からの衝撃緩和が出来ることを特徴とする防災クッション。